(57)【要約】【課題】この発明は、データの書き込み不良による廃棄カードを削減することが可能となる。【解決手段】この発明は、第１の無線カードライタによる無線カードへのデータの書き込みが失敗した場合、上記第１の無線カードライタよりも高い磁界強度にて無線カードへのデータの書き込みを行う第２の無線カードライタによる無線カードへのデータの書き込み処理を実行するようにしてものである。【選択図】　　図１
2004126713.tif 000002
【特許請求の範囲】
【請求項１】
データを記録した無線カードを発行するカード発行機において、
発行する無線カードに書き込むべきデータを取得するデータ取得手段と、
このデータ取得手段により取得したデータを書き込む無線カードを搬送する搬送手段と、
この搬送手段により搬送される無線カードにデータを書き込む第１のデータ書き込み手段と、
この第１のデータ書き込み手段によるデータの書き込みが失敗した場合、前記第１のデータ書き込み手段による書き込みが失敗したときより強い磁界強度で当該無線カードへのデータの書き込みを行う第２のデータ書き込み手段と、
を具備することを特徴とするカード発行機。
【請求項２】
データを記録した無線カードを発行するカード発行機において、
発行する無線カードに書き込むべきデータを取得するデータ取得手段と、
このデータ取得手段により取得したデータを書き込む無線カードを搬送する搬送手段と、
この搬送手段により搬送される無線カードにデータを書き込む第１のデータ書き込み手段と、
この第１のデータ書き込み手段によるデータの書き込みが失敗した場合、前記第１のデータ書き込み手段による書き込みが失敗したときより高出力の電波にて当該無線カードへのデータの書き込みを行う第２のデータ書き込み手段と、
を具備することを特徴とするカード発行機。
【請求項３】
データを記録した無線カードを発行するカード発行機において、
発行する無線カードに書き込むべきデータを取得するデータ取得手段と、
このデータ取得手段により取得したデータを書き込む無線カードを搬送する搬送手段と、
この搬送手段により搬送される無線カードにデータを書き込む第１のデータ書き込み手段と、
この第１のデータ書き込み手段によるデータの書き込みが失敗した場合、前記第１のデータ書き込み手段による書き込み位置よりも無線カードに近い距離で当該無線カードへのデータの書き込みを行う第２のデータ書き込み手段と、
を具備することを特徴とするカード発行機。
【請求項４】
データを記録した無線カードを発行するカード発行方法であって、
発行する無線カードに書き込むべきデータを取得するデータ取得工程と、
このデータ取得工程により取得したデータを書き込む無線カードを搬送する搬送工程と、
この搬送工程により搬送される無線カードにデータを書き込む第１のデータ書き込み工程と、
この第１のデータ書き込み工程によるデータの書き込みが失敗した場合、前記第１のデータ書き込み工程で書き込みが失敗したときの磁界強度により強い磁界強度で当該無線カードへのデータの書き込みを行う第２のデータ書き込み工程と、
を有することを特徴とするカード発行方法。
【請求項５】
データを記録した無線カードを発行するカード発行方法であって、
発行する無線カードに書き込むべきデータを取得するデータ取得工程と、
このデータ取得工程により取得したデータを書き込む無線カードを搬送する搬送工程と、
この搬送工程により搬送される無線カードにデータを書き込む第１のデータ書き込み工程と、
この第１のデータ書き込み工程によるデータの書き込みが失敗した場合、前記第１のデータ書き込み工程で書き込みが失敗したときの出力電波によりも高出力の電波にて当該無線カードへのデータの書き込みを行う第２のデータ書き込み工程と、
を有することを特徴とするカード発行方法。
【請求項６】
データを記録した無線カードを発行するカード発行方法であって、
発行する無線カードに書き込むべきデータを取得するデータ取得工程と、
このデータ取得工程により取得したデータを書き込む無線カードを搬送する搬送工程と、
この搬送工程により搬送される無線カードにデータを書き込む第１のデータ書き込み工程と、
この第１のデータ書き込み工程によるデータの書き込みが失敗した場合、前記第１のデータ書き込み工程で書き込みが失敗したときよりも無線カードに近い距離で当該無線カードへのデータの書き込みを行う第２のデータ書き込み工程と、
を有することを特徴とするカード発行方法。
【請求項７】
無線カード表面に印刷処理を行う印刷機と、電子データを無線カードの内部メモリに書き込むカード発行機と、上記印刷機及び上記カード発行機による無線カードの発行動作を制御するホストコンピュータ２０とを有するカード発行システムにおいて、
上記ホストコンピュータは、
無線カードの発行対象者に関するデータが記憶されるデータベースと、
上記印刷機及び上記カード発行機へ無線カードの発行指示と上記データベースから読み込んだ発行対象者のデータとを供給する供給手段と、を有し、
上記印刷機は、
上記ホストコンピュータからの発行指示と発行対象者のデータとに基づいて無線カードへの印刷処理を行う印刷手段を有し、
上記カード発行機は、
上記ホストコンピュータから供給される発行対象者のデータを取得するデータ取得手段と、
上記印刷機から印刷処理が完了した無線カードを取り込んで搬送する搬送手段と、
この搬送手段により搬送される無線カードにデータを書き込む第１のデータ書き込み手段と、
この第１のデータ書き込み手段によるデータの書き込みが失敗した場合、前記第１のデータ書き込み手段で書き込みが失敗したときより強い磁界強度で当該無線カードへのデータの書き込みを行う第２のデータ書き込み手段と、を有する、
ことを特徴とするカード発行システム。
【請求項８】
無線カード表面に印刷処理を行う印刷機と、電子データを無線カードの内部メモリに書き込むカード発行機と、上記印刷機及び上記カード発行機による無線カードの発行動作を制御するホストコンピュータ２０とを有するカード発行システムにおいて、
上記ホストコンピュータは、
無線カードの発行対象者に関するデータが記憶されるデータベースと、
上記印刷機及び上記カード発行機へ無線カードの発行指示と上記データベースから読み込んだ発行対象者のデータとを供給する供給手段と、を有し、
上記印刷機は、
上記ホストコンピュータからの発行指示と発行対象者のデータとに基づいて無線カードへの印刷処理を行う印刷手段を有し、
上記カード発行機は、
上記ホストコンピュータから供給される発行対象者のデータを取得するデータ取得手段と、
上記印刷機から印刷処理が完了した無線カードを取り込んで搬送する搬送手段と、
この搬送手段により搬送される無線カードにデータを書き込む第１のデータ書き込み手段と、
この第１のデータ書き込み手段によるデータの書き込みが失敗した場合、前記第１のデータ書き込み手段で書き込みが失敗したときの出力電波よりも高出力の電波にて当該無線カードへのデータの書き込みを行う第２のデータ書き込み手段とを有する、
ことを特徴とするカード発行システム。
【請求項９】
無線カード表面に印刷処理を行う印刷機と、電子データを無線カードの内部メモリに書き込むカード発行機と、上記印刷機及び上記カード発行機による無線カードの発行動作を制御するホストコンピュータ２０とを有するカード発行システムにおいて、
上記ホストコンピュータは、
無線カードの発行対象者に関するデータが記憶されるデータベースと、
上記印刷機及び上記カード発行機へ無線カードの発行指示と上記データベースから読み込んだ発行対象者のデータとを供給する供給手段と、を有し、
上記印刷機は、
上記ホストコンピュータからの発行指示と発行対象者のデータとに基づいて無線カードへの印刷処理を行う印刷手段を有し、
上記カード発行機は、
上記ホストコンピュータから供給される発行対象者のデータを取得するデータ取得手段と、
上記印刷機から印刷処理が完了した無線カードを取り込んで搬送する搬送手段と、
この搬送手段により搬送される無線カードにデータを書き込む第１のデータ書き込み手段と、
この第１のデータ書き込み手段によるデータの書き込みが失敗した場合、前記第１のデータ書き込み手段で書き込みが失敗したときよりも無線カードに近い距離で当該無線カードへのデータの書き込みを行う第２のデータ書き込み手段と、を有する、
ことを特徴とするカード発行システム。
【発明の詳細な説明】
【０００１】
【発明の属する技術分野】
この発明は、例えば、所持者の個人情報が記録されたＩＤカードとして利用される非接触式ＩＣカード（無線カード）を発行するカード発行機、カード発行方法、及びカード発行システムに関する。
【０００２】
【従来の技術】
従来、例えば、データを書き込んだＩＤカードとしての非接触式ＩＣカード（無線カード）を発行するカード発行機では、初期状態の無線カードへのデータの書き込み処理を行う。このようなカード発行機では、無線カードのデータに対する書き込み及び読み取りを行うリーダライタを有している。上記リーダライタによる無線カードへのデータの書き込み処理は、所定の磁界強度レベルで無線カードに電波を発信してデータを書き込むようになっている。このような従来のカード発行機では、データの書き込みが失敗した場合、同じ条件で再度データの書き込み処理を行っている。
【０００３】
しかしながら、上記のようなカード発行機は、データの書き込みが失敗した場合でも、同じ条件で無線カードに対する書き込み処理を再度実行するため、書き込みが失敗してしまうことが多い。
特に、電池レスの誘導結合型の無線カードでは、データの読み出し時よりも書き込み時に大きな消費電力を必要とする。通常、無線カードに対しては、データの読み出し時に比べデータの書き込み時は、磁界強度を上げることにより書き込み成功率を高めることができる。さらに、同一の規格で製造された無線カードであっても、共振周波数にバラツキがある。このため、リーダライタは無線カードへ送信するデータの送信周波数と共振周波数との差が大きいほど高い磁界強度を必要とする。従って、無線カードへのデータの書き込みが失敗した原因が無線カードの共振周波数のバラツキによる磁界強度である場合、同一条件でデータの書き込み処理をリトライしても、その無線カードへのデータの書き込み不良が低減されることが少ない。
【０００４】
また、カード発行機では、データの書き込みが失敗した無線カードを廃棄カードとして処理する。従って、データの書き込み前に、無線カードの表面に氏名や顔画像などを印刷してしまっている場合、無線カード表面に情報を印字する処理が無駄となってしまう。また、一旦発行済みの無線カードに対してデータの更新や書き換えを行う場合もデータの書き込みができずに廃棄カードとなってしまうと、無線カードを新たに再発行しなければならないため、コストがかかったり、再発行処理の手間がかかってしまったりするという問題点がある。
【０００５】
【発明が解決しようとする課題】
上記したように、無線カードへのデータの書き込み処理が失敗すると、無線カードの発行コストが余計にかかったり、処理に余計な手間がかかってしまうという問題点を解決するもので、無線カードに対するデータの書き込み処理の成功率を向上させて廃棄する無線カードを低減させ、処理に余計な手間をかけたり、余計なコストをかけることがないカード発行機、カード発行方法、及びカード発行システムを提供することを目的とする。
【０００６】
【課題を解決するための手段】
この発明のカード発行機は、データを記録した無線カードを発行するものにおいて、発行する無線カードに書き込むべきデータを取得するデータ取得手段と、このデータ取得手段により取得したデータを書き込む無線カードを搬送する搬送手段と、この搬送手段により搬送される無線カードにデータを書き込む第１のデータ書き込み手段と、この第１のデータ書き込み手段によるデータの書き込みが失敗した場合、前記第１のデータ書き込み手段による書き込みが失敗したときより強い磁界強度で当該無線カードへのデータの書き込みを行う第２のデータ書き込み手段とを有する。
【０００７】
この発明のカード発行方法は、データを記録した無線カードを発行する方法であって、発行する無線カードに書き込むべきデータを取得するデータ取得工程と、このデータ取得工程により取得したデータを書き込む無線カードを搬送する搬送工程と、この搬送工程により搬送される無線カードにデータを書き込む第１のデータ書き込み工程と、この第１のデータ書き込み工程によるデータの書き込みが失敗した場合、前記第１のデータ書き込み工程で書き込みが失敗したときの磁界強度により強い磁界強度で当該無線カードへのデータの書き込みを行う第２のデータ書き込み工程とを有する。
【０００８】
この発明のカード発行システムは、無線カード表面に印刷処理を行う印刷機と、電子データを無線カードの内部メモリに書き込むカード発行機と、上記印刷機及び上記カード発行機による無線カードの発行動作を制御するホストコンピュータ２０とを有するものにおいて、上記ホストコンピュータは、無線カードの発行対象者に関するデータが記憶されるデータベースと、上記印刷機及び上記カード発行機へ無線カードの発行指示と上記データベースから読み込んだ発行対象者のデータとを供給する供給手段とを有し、上記印刷機は、上記ホストコンピュータからの発行指示と発行対象者のデータとに基づいて無線カードへの印刷処理を行う印刷手段を有し、上記カード発行機は、上記ホストコンピュータから供給される発行対象者のデータを取得するデータ取得手段と、上記印刷機から印刷処理が完了した無線カードを取り込んで搬送する搬送手段と、この搬送手段により搬送される無線カードにデータを書き込む第１のデータ書き込み手段と、この第１のデータ書き込み手段によるデータの書き込みが失敗した場合、前記第１のデータ書き込み手段で書き込みが失敗したときより強い磁界強度で当該無線カードへのデータの書き込みを行う第２のデータ書き込み手段とを有する。
【０００９】
【発明の実施の形態】
以下、この発明の実施の形態について図面を参照して説明する。
図１は、この発明の実施の形態に係るカード発行システムの構成例と、上記カード発行システムにて発行されるＩＤカードとしての非接触式ＩＣカード（無線カード）Ｃの構成例とを示す図である。
【００１０】
図１に示すように、カード発行システムは、カード発行機１０、ホストコンピュータ２０、印刷機３０、撮影機４０、及び入力端末５０などから構成される。また、カード発行システムにて発行される無線カードＣには、カード表面に個人情報が印字される。例えば、図１に示す例では、カード表面に本人の顔画像や氏名、住所等のＩＤ情報などが印字されている。これらの無線カードＣの表面に印字される情報により、無線カードＣを見て本人であるか否か判別できるようになっている。さらに、上記無線カードＣの本体１内には、アンテナ部２及びＩＣチップ３などが埋設されている。上記アンテナ部２は、ループアンテナなどにより構成される。上記ＩＣチップ３は、無線通信機能及びメモリ機能等を有し、上記アンテナ部２と接続されている。図１に示す無線カードＣは、例えば、電池が内蔵されていない誘導結合型の無線カードで構成される。
【００１１】
上記カード発行機１０は、無線カードＣのＩＣチップ３に設けられているメモリに、発行対象者のＩＤ情報あるいは顔画像データなどの電子データを記憶させる処理（書き込む処理）を行うものである。このカード発行機１０については、後で詳細に説明する。
【００１２】
上記ホストコンピュータ２０は、パーソナルコンピュータなどにより構成される。上記ホストコンピュータ２０は、上記カード発行機１０、上記印刷機３０、上記撮影機４０、及び上記入力端末５０と接続され、当該カード発行システム内の各機器とのデータ通信機能を有している（供給手段）。このようなデータ通信機能により、上記ホストコンピュータ２０は、操作員による指示に基づくカード発行システムによるＩＤカードとしての無線カードＣの発行制御を行う。また、このホストコンピュータ２０は、ＩＤカードとしての無線カードＣの発行対象者に関する情報を記憶するデータベース２１を有している。
【００１３】
上記印刷機３０は、初期状態の無線カードＣの表面にＩＤ情報や顔画像などの情報を印刷するものである。この印刷機３０は、上記ホストコンピュータ２０から供給される印刷データを無線カードの表面に印刷する処理を行う（印刷手段）。さらに、上記印刷機３０は、印刷処理が完了した無線カードＣを上記カード発行機１０へ供給するようになっている。
【００１４】
上記撮影機４０は、無線カードに記録される顔画像を撮影するものである。この撮影機４０は、ＩＤカードの発行対象者の顔画像を撮影し、撮影した顔画像のデータを上記ホストコンピュータ２０へ供給するようになっている。上記入力端末５０は、オペレータにより発行対象者のＩＤ情報などのデータが入力される。この入力端末５０は、パーソナルコンピュータなどで構成され、オペレータにより入力されたデータを上記ホストコンピュータ２０へ供給するようになっている。
【００１５】
すなわち、上記カード発行システムにおいて、上記ホストコンピュータ２０は、上記撮影機４０及び上記入力端末５０から供給される発行対象者の顔画像データやＩＤ情報等に基づいてデータベース２１を構築する。さらに、上記ホストコンピュータ２０は、操作員による指示に基づいて、上記カード発行機１０及び上記印刷機３０に対してカード発行の指示を送信するとともに、上記データベース２１から発行対象者のデータを読み込み、発行する無線カードＣの印刷データを印刷機３０へ供給し、発行する無線カードＣに書き込むデータをカード発行機１０に供給するものである。
【００１６】
次に、カード発行機１０の構成例について説明する。
図２は、カード発行機１０の構成例を概略的に示す図である。
図２に示すように、カード発行機１０は、制御装置１１、搬送制御部１２、搬送路１３、進入センサ１４、排出センサ１５、第１無線カードリーダライタ（第１のデータ書き込み手段、第１の無線通信手段）１６、第２無線カードリーダライタ（第２のデータ書き込み手段、第２の無線通信手段）１７などから構成されている。また、上記制御装置１１には、外部機器としてのホストコンピュータ２０が接続されている。
【００１７】
上記制御装置１１は、カード発行機１０全体の制御を司るものである。また、上記制御装置１１は、通信機能を有し、上記ホストコンピュータ２０とのデータの送受信を行なう。上記搬送制御部１２は、上記搬送路１３上の無線カードＣの搬送を制御する。上記進入センサ１４は、カード発行機１０内に進入してきた無線カードＣを検知するものである。上記排出センサ１５は、カード発行機から排出される無線カードＣを検知するものである。
【００１８】
上記第１無線カードリーダライタ１６は、上記搬送路１３上を搬送される無線カードＣにデータを書き込んだり、無線カードＣからデータを読取ったりするものである。上記第２無線カードリーダライタ１７は、上記第１無線カードリーダライタ１６の下流側に設置される。この第２無線カードリーダライタ１７は、上記第１無線カードリーダライタ１６とは異なる磁界強度で上記搬送路１３上を搬送される無線カードＣにデータを書き込むようになっている。
【００１９】
例えば、上記第１無線カードリーダライタ１６が標準的な出力にて無線カードへのデータを書き込むものであれば、上記第２無線カードリーダライタ１７は、高出力にて無線カードへのデータを書き込むものとすれば良い。これにより、第２無線カードリーダライタ１７では、上記第１無線カードリーダライタ１６よりも強い磁界強度の電波でのデータの書き込みを実現できる。
【００２０】
また、上記第１無線カードリーダライタ１６及び上記第２無線カードリーダライタ１７は、共に搬送路１３上の無線カードＣに対してデータを書き込むようになっている。このため、上記第１無線カードリーダライタ１６よりも上記第２無線カードリーダライタ１７を搬送路１３に対して接近させて設置するようにしても良い。これにより、上記第２無線カードリーダライタ１７では、搬送路１３上の無線カードＣに対して、上記第１無線カードリーダライタ１６よりも近い距離で電波を供給することでき、上記第１無線カードリーダライタ１６よりも強い磁界強度でデータの書き込み処理を実現することができる。
【００２１】
次に、無線カードＣの発行動作について説明する。
図３〜図６は、カード発行機における無線カードに対する処理の様子を示す図である。
図３は、無線カードＣに対する上記第１無線カードリーダライタ１６によるデータの書き込み処理を説明するための図である。
すなわち、図３に示すように、上記第１無線カードリーダライタ１６は、搬送路１３上のデータ書き込み位置において無線カードＣへのデータの書き込み処理を行うようになっている。通常、無線カードＣは、上記第１無線カードリーダライタ１６によりデータの書き込み処理が行われる。このため、カード発行機１０内に取り込まれた無線カードＣは、まず、上記制御装置１１の制御に基づいて第１無線カードリーダライタ１６のデータ書き込み位置に搬送され、データの書き込み処理が行われる。
【００２２】
図４は、上記第１無線カードリーダライタ１６により正常にデータが書き込まれた無線カードＣに対する制御を示す図である。
すなわち、図４に示すように、上記第１無線カードリーダライタ１６により正常にデータが書き込まれた無線カードＣは、上記制御装置１１の制御に基づいて第２無線カードリーダライタ１７のデータ書き込み位置に留まることなく、カード発行機１０から排出する。
【００２３】
図５は、上記第１無線カードリーダライタ１６により正常にデータが書き込まれなかった無線カードＣに対する制御を示す図である。
すなわち、図５に示すように、上記第１無線カードリーダライタ１６により正常にデータが書き込まれなかった無線カードＣは、上記制御装置１１の制御に基づいて上記第１無線カードリーダライタ１６のデータ書き込み位置から上記第２無線カードリーダライタ１７のデータ書き込み位置に搬送される。これにより、上記第２無線カードリーダライタ１７は、搬送路１３上のデータ書き込み位置において無線カードＣへのデータの書き込み処理を行うようになっている。
【００２４】
図６は、上記第２無線カードリーダライタ１７によりデータの書き込み処理が行われた無線カードＣに対する制御を示す図である。
すなわち、図６に示すように、上記第１無線カードリーダライタ１６によりデータの書き込み処理が行われた無線カードＣは、上記制御装置１１の制御に基づいて上記第２無線カードリーダライタ１７のデータ書き込み位置からカード発行機１０から排出される。この際、上記第２無線カードリーダライタ１７によりデータが正常に書き込まれた無線カードＣは、正常なカードとしてカード発行機から排出され、上記第２無線カードリーダライタ１７によりデータが正常に書き込まれなかった無線カードＣは、廃棄カードとしてカード発行機から排出される。
【００２５】
次に、上記カード発行機１０による無線カードＣの発行動作について説明する。
図７は、無線カードの発行動作を説明するためのフローチャートである。
まず、無線カードＣを発行する際、操作員は、ホストコンピュータ２０にて発行するカードの個人識別情報等を入力してカードの発行を指示する。すると、ホストコンピュータ２０は、操作員により入力された個人識別情報などに基づきデータベース２１から無線カードへの印刷データ及び記憶用のデータなどを読み込む。これらのデータを読み込むと、ホストコンピュータ２０は、カード発行機１０及び上記印刷機３０へ無線カードＣの発行コマンドを送信する。さらに、ホストコンピュータ２０は、上記カード発行機１０及び上記印刷機３０へそれぞれ記憶用データ及び印刷データを送信する。
【００２６】
上記印刷機３０では、上記ホストコンピュータ２０からの指示に基づいて、初期状態の無線カードＣの表面への発行対象者の個人情報の印刷処理を行う。この印刷処理が完了した無線カードＣは、上記カード発行機１０に取り込まれる。なお、以下の説明では、上記印刷機３０による当該無線カードＣへの個人情報の印刷処理が完了しているものとし、表面印刷が完了している無線カードＣに対する上記カード発行機１０による処理について詳細に説明する。
【００２７】
すなわち、上記ホストコンピュータ２０において操作員がカード発行指示を入力すると、上記ホストコンピュータ２０は、カード発行機１０へカード発行コマンドを送信する。この際、ホストコンピュータ２０は、カード発行コマンドとともに、発行する無線カードＣに記録すべきデータをカード発行機１０へ送信する。上記ホストコンピュータ２０からのカード発行コマンドを受信すると（ステップＳ１１）、カード発行機１０の制御装置１１は、無線カードＣへデータの書き込みを行う無線カードリーダライタを選択する。通常、制御装置１１は、１回目のデータ書き込み処理については第１無線カードリーダライタ１６を選択する。
【００２８】
なお、第１無線カードリーダライタ１６では、無線カードＣにデータを書き込むことができないことを判断できる場合、上記制御装置１１は、第２無線カードリーダライタ１７を選択するようにしても良い。これにより、上記制御装置１１は、１回目のデータ書き込み処理を第２無線カードリーダ１７で行うようにすることも可能である。
【００２９】
すなわち、上記第１無線カードリーダライタ１６を選択すると、上記制御装置１１は、搬送制御部１２へカード取り込み指令、及び上記第１無線カードリーダライタ１６の書き込み位置への搬送指令を供給する（ステップＳ１２）。上記搬送制御部１２は、カード取り込み指令を受けると、上記印刷機３０から無線カードＣを取り込む。無線カードＣを取り込むと、上記搬送制御部１２は、上記カード発行機１０のカード挿入口近傍に設置した進入センサ１４により搬送路１３上への無線カードの進入を検出する。
【００３０】
無線カードＣの進入を検知すると、上記搬送制御部１２は、図３に示すように、当該無線カードＣを上記制御装置１１により指定された第１無線カードリーダライタ１６の書き込み位置まで搬送する。当該無線カードＣを上記第１無線カードリーダライタ１６のデータ書き込み位置まで搬送すると、搬送制御部１２は、無線カードの搬送を一旦停止し、上記制御装置１１へ無線カードが指定位置まで搬送されたことを通知する。
【００３１】
すると、上記制御装置１１は、データの書き込みを行う無線カードリーダライタとして選択した第１無線カードリーダライタ１６へ無線カードＣに書き込むべきデータを送信する。すると、第１無線カードリーダライタ１６は、上記制御装置１１から供給されたデータを無線カードＣへ書き込む処理を実行する（ステップＳ１３）。この際、上記第１無線カードリーダライタ１６は、無線カードＣへのデータの書き込みと無線カードＣに書き込んだデータの確認読み取りを行う。
【００３２】
これにより、上記第１無線カードリーダライタ１６は、当該無線カードＣからのデータの確認読み取りの結果に基づいて当該無線カードＣにデータが正しく書き込まれたか否かを判断する。この判断結果（書き込み処理が正常の完了したか否かを示すステータス）は、上記第１無線カードリーダライタ１６から制御装置１１へ送信される。従って、上記制御装置１１は、上記第１無線カードリーダライタ１６からのステータスに基づいてデータの書き込み処理が正常に完了したか否かを判断する（ステップＳ１４）。
【００３３】
この判断により上記第１無線カードリーダライタ１６によるデータの書き込み処理が正常に完了したと判断した場合（ステップＳ１４、成功）、上記制御装置１１は、上記ホストコンピュータ２０に無線カードＣへのデータの書き込みが正常に終了した旨を通知するとともに（ステップＳ１５）、上記搬送制御部１２に当該無線カードＣの排出指令を供給する（ステップＳ１６）。当該無線カードＣの排出指令を受けると、上記搬送制御部１２は、図４に示すように、搬送路１３の当該無線カードＣを搬送し、カード発行機１０から排出する。この際、上記搬送制御部１２は、上記排出センサ１５の検知出力に基づいて無線カードＣの排出を確認する。このような動作により上記第１無線カードリーダライタ１６により正常にデータが書き込まれた無線カードＣの発行が完了する。
【００３４】
また、上記判断により上記第１無線カードリーダライタ１６によるデータの書き込み処理が正常に完了しなかったと判断した場合（ステップＳ１４の失敗、及び、ステップＳ１７のＹＥＳ）、上記制御装置１１は、上記搬送制御部１２へ第２無線カードリーダライタ１７のデータ書き込み位置まで当該無線カードＣを搬送するよう指令を送る（ステップＳ１８）。上記第２無線カードリーダライタ１７のデータ書き込み位置への搬送指示を受けると、上記搬送制御部１２は、図５に示すように、当該無線カードＣを上記第２無線カードリーダライタ１７の書き込み位置まで搬送する。当該無線カードＣを上記第２無線カードリーダライタ１７のデータ書き込み位置まで搬送すると、上記搬送制御部１２は、当該無線カードＣの搬送を一旦停止し、上記制御装置１１へ無線カードＣが指定位置まで搬送されたことを通知する。
【００３５】
このような通知を受けると、上記制御装置１１は、上記第２無線カードリーダライタ１７へ無線カードＣに書き込むべきデータを送信する。すると、上記第２無線カードリーダライタ１７は、上記制御装置１１から供給されたデータを無線カードＣへ書き込む処理を実行する（ステップＳ１９）。この際、上記第２無線カードリーダライタ１７は、無線カードＣへのデータの書き込みと無線カードＣに書き込んだデータの確認読み取りを行う。
【００３６】
これにより、上記第２無線カードリーダライタ１７は、データの確認読み取りの結果に基づいて当該無線カードＣにデータが正しく書き込まれたか否かを判断する。この判断結果（書き込み処理が正常の完了したか否かを示すステータス）は、上記第２無線カードリーダライタ１７から制御装置１１へ送信される。従って、上記制御装置１１は、上記第２無線カードリーダライタ１７からのステータスに基づいて当該無線カードＣへのデータの書き込み処理が正常に完了したか否かを判断する（ステップＳ２０）。
【００３７】
この判断により上記第２無線カードリーダライタ１７によるデータの書き込み処理が正常に完了したと判断した場合（ステップＳ２０、成功）、上記制御装置１１は、上記ホストコンピュータ２０に無線カードＣへのデータの書き込みが正常に終了した旨を通知するとともに（ステップＳ１５）、上記搬送制御部１２に当該無線カードＣの排出指令を供給する（ステップＳ１６）。当該無線カードＣの排出指令を受けると、上記搬送制御部１２は、図６に示すように、搬送路１３の当該無線カードＣを搬送し、カード発行機１０から排出する。この際、上記搬送制御部１２は、上記排出センサ１５の検知出力に基づいて無線カードＣの排出を確認する。このような動作により上記第２無線カードリーダライタ１７により正常にデータが書き込まれた無線カードＣの発行が完了する。
【００３８】
また、上記判断により上記第２無線カードリーダライタ１７によるデータの書き込み処理が正常に完了しなかったと判断した場合（ステップＳ２０、失敗）、上記制御装置１１は、ホストコンピュータ２０へ当該無線カードＣへのデータの書き込みが異常終了した旨を通知するとともに（ステップＳ２１）、上記搬送制御部１２へ廃棄カードとして排出するよう指令を送る（ステップＳ２２）。このような無線カードの排出指令を受けた搬送制御部１２は、当該無線カードＣを廃棄カードとして排出する。なお、廃棄カードを集積する廃棄カード蓄積部がカード発行機に設けられる場合、当該無線カードは、その廃棄カード蓄積部へ搬送される。このような動作により上記第１無線カードリーダライタでも上記第２無線カードリーダライタでもデータの書き込み処理に失敗した無線カードに対する処理が終了する。
【００３９】
上記のように、無線カードへのデータの書き込みを行う第１の無線カードライタと、上記第１の無線カードライタよりも高い磁界強度にて無線カードへのデータの書き込みを行う第２の無線カードライタとを設け、上記第１の無線カードライタによる無線カードへのデータの書き込みが失敗した場合、第２の無線カードライタによる無線カードへのデータの書き込み処理を実行するようにしてものである。
【００４０】
これにより、無線カードの共振周波数のバラツキ等によって、第１の無線カードライタによる無線カードへのデータの書き込みが失敗した場合であっても、第２の無線カードライタによる書き込み処理が成功する可能性が高くなり、結果としてデータの書き込み不良による廃棄カードを削減することが可能となる。さらには、廃棄無線カードの低減により、カード表面の印刷などを再実行する業務が不要となったり、無線カードの発行にかかるコストも低減できるという効果が得られる。
【００４１】
また、上記第１の無線カードライタを無線カードとの距離を接近させるために、図示しない移動手段により無線カードＣに接近させ、第２の無線カードライタとして使用する。これにより、この第２の無線カードライタを上記第１の無線カードライタよりも高出力のタイプにすることができる。これにより、上記第２の無線カードライタでは上記第１の無線カードライタよりもデータの書き込み時における磁界強度を高めて書き込み処理を行うことが可能となり、結果としてカード発行機における書き込み処理の成功率が向上する。
【００４２】
【発明の効果】
以上詳述したように、この発明によれば、無線カードに対するデータの書き込み処理の成功率を向上させて廃棄する無線カードを低減させ、処理に余計な手間をかけたり、余計なコストをかけることがないカード発行機、カード発行方法、及びカード発行システムとを提供できる。
【図面の簡単な説明】
【図１】この発明の実施の形態に係るカード発行システムとＩＤカードとしての無線カードとの構成例を示す図である。
【図２】カード発行機の概略構成を示す図である。
【図３】第１無線カードリーダライタによるデータの書き込み時における無線カードの状態を説明するための図。
【図４】第１無線カードリーダライタによるデータの書き込み後における無線カードの状態を説明するための図。
【図５】第２無線カードリーダライタによるデータの書き込み時における無線カードの状態を説明するための図。
【図６】第２無線カードリーダライタによるデータの書き込み後における無線カードの状態を説明するための図。
【図７】カード発行機における無線カードの発行動作を説明するためのフローチャート。
【符号の説明】
Ｃ…無線カード、２…アンテナ部、３…ＩＣチップ、１０…カード発行機、１１…制御装置、１２…搬送制御部、１３…搬送路、１６…第１無線カードリーダライタ（第１のデータ書き込み手段、第１の無線通信手段）、１７…第２無線カードリーダライタ（第２のデータ書き込み手段、第２の無線通信手段）、２０…ホストコンピュータ、２１…データベース、３０…印刷機、４０…撮影機、５０入力端末
【図１】
2004126713.tif 000003
【図２】
2004126713.tif 000004
【図３】
2004126713.tif 000005
【図４】
2004126713.tif 000006
【図５】
2004126713.tif 000007
【図６】
2004126713.tif 000008
【図７】
2004126713.tif 000009